(57)【要約】【課題】  接触信頼性を向上することができ、短絡を防止すること。【解決手段】  弾性を有する接続部材１を保持する保持部材５１は、前記接続部材１１が収容される収容部５２を有し、接続方向において、前記接続部材１の一側と対応する一方の壁５２ｄの高さが前記接続部材１の前記一側と対向する他側と対応する他方の壁５２ｆの高さよりも高く形成されることにより規制部５２ｈを有し、前記規制部５２ｈは、前記接続対象物６１及び前記相手接続対象物７１を接続する際に前記接続部材１を所定の方向に変形させるように規制する。【選択図】    図１
2008059810.tif 000002
【特許請求の範囲】
【請求項１】
接続対象物及び相手接続対象物間を接続するコネクタにおいて、
弾性を有する接続部材と、該接続部材を保持する保持部材とを具備し、
前記保持部材は、前記接続部材が収容される収容部を有し、
前記収容部は、前記接続対象物及び前記相手接続対象物を接続する接続方向において、前記接続部材の一側と対応する一方の壁の高さが前記接続部材の前記一側と対向する他側と対応する他方の壁の高さよりも高く形成されることによる規制部を有することを特徴とするコネクタ。
【請求項２】
接続対象物及び相手接続対象物間を接続するコネクタにおいて、
弾性を有する接続部材と、該接続部材を保持する保持部材とを具備し、
前記保持部材は、前記接続部材が収容される収容部を有し、
前記収容部は、前記接続対象物及び前記相手接続対象物を接続する接続方向において、前記接続部材の一側と対応する一方の壁と、前記接続部材の前記一側と対向する他側と対応する他方の壁と、該他方の壁に形成した規制部とを有することを特徴とするコネクタ。
【請求項３】
請求項１又は２記載のコネクタにおいて、前記接続部材は、弾性体と、該弾性体上の所定位置に配設された導体とを有することを特徴とするコネクタ。
【請求項４】
請求項１又は２記載のコネクタにおいて、前記接続部材は、弾性体と、該弾性体上の所定位置に配設されたフィルムと、該フィルム上に所定パターンに配設された導体とを有することを特徴とするコネクタ。
【発明の詳細な説明】
【技術分野】
【０００１】
本発明は、接続対象物と相手接続対象物とを接続する接続部材を備えているコネクタに関する。
【背景技術】
【０００２】
先行技術１としては、２つの実装基板間に設けられるコンタクトが実装基板によって圧せられて圧縮される際に、コンタクトの屈曲による倒れを規制する規制部を有する圧縮コネクタが知られている（例えば、特許文献１を参照）。
【０００３】
先行技術２としては、コンタクトが、ＩＣと接触するデバイス側電極と、デバイス側電極と対向して設けられ、ソケットボードと接触する基板電極と、デバイス側電極と基板側電極とを電気的に接続する伝送線路と、デバイス側電極と基板側電極との間に設けられた弾性部材とを有するＩＣソケットが知られている。コンタクトは、弾性部材のデバイス側絶縁板と弾性部材の基板側絶縁板とに挟まれた弾性支持体を備えている（例えば、特許文献２を参照）。
【０００４】
【特許文献１】特開２００２−２５２０４４号公報
【特許文献２】特開２００３−１８５７００号公報
【発明の開示】
【発明が解決しようとする課題】
【０００５】
特許文献１おける圧縮コネクタでは、導電性エラストマー材料からなるコンタクトが弾性圧縮するものであるから、圧縮時にコンタクトの変形形状をコントロールすることができず、圧接荷重が不安定なものであるので接触信頼性に劣るという問題がある。
【０００６】
また、圧縮コネクタは、実装基板に設けられている接触部の間隔が狭くなるほど、コンタクトを圧縮した時に隣り合う接触部にコンタクトが接触し短絡してしまうという問題がある。
【０００７】
特許文献２おけるＩＣソケットでは、弾性部材や弾性支持体を有するので構造が複雑になり、圧縮時にコンタクトの変形形状をコントロールすることができず、圧接荷重も不安定なものとなるので接触信頼性に劣るという問題がある。
【０００８】
それ故に、本発明の課題は、圧接荷重を安定させることができ、接触信頼性を向上することができるコネクタを提供することにある。
【０００９】
また、本発明の課題は、短絡を防止することができるコネクタを提供することにある。
【課題を解決するための手段】
【００１０】
本発明は、接続対象物及び相手接続対象物間を接続するコネクタにおいて、弾性を有する接続部材と、該接続部材を保持する保持部材とを具備し、前記保持部材は、前記接続部材が収容される収容部を有し、前記収容部は、前記接続対象物及び前記相手接続対象物を接続する接続方向において、前記接続部材の一側と対応する一方の壁の高さが前記接続部材の前記一側と対向する他側と対応する他方の壁の高さよりも高く形成されることによる規制部を有することを特徴とするコネクタであることを最も主要な特徴とする。
【発明の効果】
【００１１】
本発明のコネクタによれば、弾性を有する接続部材を保持する保持部材に接続時の圧縮による変形をコントロールする規制部を形成することによって、圧接荷重が安定するので接触信頼性を向上することができる。
【００１２】
また、本発明のコネクタによれば、弾性を有する接続部材を保持する保持部材に接続時の圧縮による変形をコントロールする規制部を形成することによって、隣り合う接続対象物の接触部、及び相手接続対象物の相手接触部への短絡を回避することができる。
【発明を実施するための最良の形態】
【００１３】
本発明のコネクタは、接続対象物及び相手接続対象物間を接続するコネクタにおいて、弾性を有する接続部材と、該接続部材を保持する保持部材とを具備し、前記保持部材は、前記接続部材が収容される収容部を有し、前記収容部は、前記接続対象物及び前記相手接続対象物を接続する接続方向において、前記接続部材の一側と対応する一方の壁の高さが前記接続部材の前記一側と対向する他側と対応する他方の壁の高さよりも高く形成されることによる規制部を有することにより実現した。
【実施例１】
【００１４】
図１は本発明に係るコネクタに用いる接続部材を示している。図１を参照して、接続部材１は、略長板形状の弾性体１１と、弾性体１１を補強している長板形状のの補強部材１２と、弾性体１１上の所定位置に配設されている複数の導体３１とを有する。
【００１５】
弾性体１１は、導体３１が配設されている保持面１３と、保持面１３に対向している平坦な基面１４と、長手方向と直交する幅方向の両側のそれぞれから幅方向へ突出している一対の突出部１５とを有する。
【００１６】
突出部１５は、基面１４から幅方向へそれぞれ延在している平坦な突出基面１４ａと、保持面１３から突出基面１４ａの辺側へ向かって略円弧状に形成されている曲面１５ａと、曲面１５ａから突出基面１４ａに対して直交する方向で曲面１５ａ及び突出基面１４ａ間を接続している側面１５ｂとを有している。
【００１７】
補強部材１２は、基面１４の中央に位置しかつ弾性体１１の長手方向へ延びており、突出基面１４ａと同じ面に一面が露出するように弾性体１１に埋め込まれている。
【００１８】
複数の導体３１は、弾性体１３の長手方向で間隔をもって互いに平行に配列されており、長手方向と直交する幅方向において保持面１３、曲面１５ａ及び側面１５ｂに帯状の配線パターンとして配列されている。
【００１９】
導体３１としては金属薄膜を用いている。金属薄膜を保持面１３、曲面１５ａ及び側面１５ｂ上に配設するには、メッキやスパッタ、もしくはエッチングなどの微細加工技術を用いることで、数ミクロン単位で積層することができる。さらに、導体３１は、弾性体１１の長手方向において０．５ｍｍ以下の間隔をもって配列することができるので、各導体３１の狭ピッチ化が可能である。
【００２０】
弾性体１１の材料としては、主にシリコン系の耐熱性を有するゴムが望ましい。弾性体１１は、成型加工することによって成形することができる。なお、弾性体１１は、ゴムのほかの材料としてゲル材料を用いることができる。
【００２１】
弾性体１１と導体３１との貼り付け方法としては、接着剤あるいはカップリング剤を塗布することによって実現できる。
【００２２】
補強部材１２は、基面１４の中央に位置しかつ弾性体１１の長手方向へ延びている長板形状の部材である。補強部材１２は、金属又は硬質な樹脂などによって作られており、弾性体１１を成型する際に突出基面１４ａと同じ面に一面が露出するように弾性体１１に埋め込まれる。
【００２３】
図２は、図１に示した接続部材１とは構成が異なる接続部材１０１を分解した状態で示している。なお、図２に示した接続部材１０１の説明では、図１に示した接続部材１と同じ部分に同じ符号を付して説明の一部を省略する。
【００２４】
図２を参照して、接続部材１０１は、図１によって説明した弾性体１１と同じ形状の弾性体１１及び補強部材１２と、弾性体１１に保持するフィルム２１と、フィルム２１の所定位置に配設されている複数の導体３１とを有する。
【００２５】
弾性体１１の保持面１３には、フィルム２１が貼り付けられて固定される。複数の導体３１は、フィルム２１の一面でフィルム２１の長手方向で間隔をもち、かつフィルム２１の長手方向と直交する幅方向において帯状のパターンとして配列されている。即ち、複数の導体３１は、フィルム２１の長手方向で間隔をもって互いに平行に配列されており、長手方向と直交する幅方向において保持面１３、曲面１５ａ及び側面１５ｂに対応するように帯状の配線パターンとして配列されている。
【００２６】
一方側の突出部１５の曲面１５ａ及び側面１５ｂ上の導体３１は、接続対象物（図示せず）の接触部に接触させる部分である。また、もう一方側の突出部１５の曲面１５ａ及び側面１５ｂ上の導体３１は、相手接続対象物（図示せず）の相手接触部に接触させる部分である。即ち、接続対象物及び相手接続対象物は、導体３１を介して相互に接続される。
【００２７】
導体３１は、フィルム２１上に金属薄膜をパターンニングすることによって得られる。この際、導体３１は、一対の突出部１５及び一対の突出部１５間に対応した位置に配設される。
【００２８】
金属薄膜をフィルム２１上に配設するには、メッキやスパッタ、もしくはエッチングなどの微細加工技術を用いることで、数ミクロン単位で積層できる。さらに、導体３１は、フィルム２１の長手方向において０．５ｍｍ以下の間隔をもって配列することができるので、狭ピッチ化が可能である。なお、フィルム２１としては、ＦＰＣ（フレキシブル・プリンテッド・サーキット）を採用することもできる。
【００２９】
弾性体１１の保持面１３には、フィルム２１が弾性体１１の弾性変形に追従するように貼り付け固定される。
【００３０】
また、弾性体１１とフィルム２１との貼り付け方法は、全面もしくは部分的な貼り付けが行われ、接着剤や粘着剤あるいはカップリング剤を塗布することによって実現できる。なお、弾性体１１とフィルム２１との貼り付けは、超音波溶着やレーザー溶着を行うことによっても実現できる。フィルム２１としては、ポリイミド樹脂、アラミド樹脂などのうちの一種を採用する。
【００３１】
図１及び図２によって説明した接続部材１，１０１のそれぞれは、いずれも以下に実施例１として図３に示すコネクタ２０１の一部品として用いることができる。図３及び図４は、図２によって説明した接続部材１０１を採用したコネクタ２０１の実施例１を示している。
【００３２】
コネクタ２０１は、接続部材１０１と、接続部材１０１を保持する板状の保持部材５１とを有する。保持部材５１は、複数の接続部材１０１を個々に収容するように保持部材５１の上面５１ａ及び上面５１ａに対向している下面５１ｂ間を貫通している複数の収容部５２を有する。
【００３３】
収容部５２は、図４に示したように接続部材１０１の一側である基面１４と対応する一方の壁５２ｄと、接続部材１０１の一側である基面１４と対向する他側である接続部材１０１の保持面１３と対応する他方の壁５２ｆと、一方及び他方の壁５２ｄ,５２ｆ間を接続している接続面である一対の規制部５２ｈとを有する。
【００３４】
規制部５２ｈは、接続対象物と相手接続対象物とを接続する接続方向において、一方の壁５２ｄの高さが他方の壁５２ｆの高さよりも高く形成されることにより、断面がテーパー形状となっている。即ち、保持部材５１を断面で見ると、収容部５２において一方の壁５２ｄから他方の壁５２ｆへ先細りとなるように傾斜したテーパー形状となっている断面が横向きの台形のフレーム形状となっている。
【００３５】
図３及び図４によって示したように、接続部材１０１の基面１４及フィルム２１上に導体３１を配設した保持面１３が一方の壁５２ｄ及び他方の壁５２ｆのそれぞれに対向するように一方の壁５２ｄ及び他方の壁５２ｆ間に挿入されて圧接するように挟まれて保持される。この状態で、接続部材１０１の一方の突出部１５が保持部材５１の上面５１ａよりも上方に位置しており、接続部材１０１の他方の突出部１５が保持部材１０１の下面５１ｂよりも下方に位置している。
【００３６】
接続部材１０１は、いずれも収容部５２の長手方向の寸法に合わせて、長手方向で所定の寸法に切断することによって長手方向で所定の寸法をもつ収容部５２に保持するようにすることができる。
【００３７】
図５（Ａ）は、図３及び図４に示した保持部材５１の複数の収容部５２の３つに接続部材１０１をそれぞれ保持しているコネクタ２０１を示している。なお、図５（Ａ）では、接続部材１０１のフィルム２１を図示していないが、接続部材１０１は図４の構成となっている。
【００３８】
コネクタ２０１は、配線基板としての接続対象物６１と相手配線基板としての相手接続対象物７１との間に設ける。接続対象物６１及び相手接続対象物７１は、互いに平行に対向させて位置させる。また、コネクタ２０１は、接続部材１０１の一対の突出部１５が上下となる接続方向に位置させる。即ち、接続方向は、接続対象物６１及び相手接続対象物７１の基板面と直交する方向である。
【００３９】
一方側の突出部１５の曲面１５ａ及び側面１５ｂ上の導体３１は、接続方向において接続対象物６１の接触部６１ａに接触する。また、もう一方側の突出部１５の曲面１５ａ及び側面１５ｂ上の導体３１は、接続方向において相手接続対象物７１の相手接触部７１ａに接触する。接続対象物６１及び相手接続対象物７１は、互いに間隔を狭めるように相対的に移動させることによって、図５（Ｂ）に示すように導体３１を介して接触部６１ａ及び相手接触部７１ａのそれぞれと接続させる。
【００４０】
図５（Ｂ）に示したように、接続対象物６１及び相手接続対象物７１を互いに間隔を狭めるように相対的に移動せると、接続部材１０１が接続対象物６１及び相手接続対象物７１によって接続方向で圧縮される。この際、接触部６１ａ及び相手接触部７１ａに導体３１が接触しつつ、一対の突出部１５の一部が圧縮によって所定の方向に変形するので規制部５２ｈへ移動する。即ち、保持部材５１の一方及び他方の壁５２ｄ,５２ｆ間に挟まれている弾性体１１の接続方向における中間部分には逃げ部分がないので、収容部５２の規制部５２ｈ上へ一対の突出部１５の一部が圧縮によって移動することになる。
【００４１】
接続部材１０１によって接続対象物６１及び相手接続対象物７１間を接続した後は、規制部５２ｈにおいて突出部１５の変形した部分が所定方向へ移動するため、隣り合う接続部材１０１同士が短絡することがない。
【００４２】
また、接続時には、接触部６１ａ間のピッチや相手接触部７１ａ間のピッチが狭ピッチであっても、規制部５２ｈ上へ一対の突出部１５の一部が圧縮によって移動するので、導体１３がピッチ方向において隣の接触部６１ａや相手接触部７１ａと短絡することを避けることができる。
【００４３】
以上、実施例１においては、コネクタ２０１として接続部材１０１と保持部材５１との組み合わせ構成について説明したが、図１に示した接続部材１と保持部材５１との組み合わせた構成のコネクタ２０１としても、図５（Ｂ）によって説明した接続対象物６１及び相手接続対象物７１間を接続した形態となる。
【実施例２】
【００４４】
図６（Ａ）及び図６（Ｂ）は、図２によって説明した接続部材１０１を採用した実施例２のコネクタ３０１を示している。なお、実施例２におけるコネクタ３０１は、実施例１によって説明したコネクタ２０１とは収容部５２の形状が変更されている以外は同じ構成であるため、収容部５２を除く部分の説明は省略する。
【００４５】
図６（Ａ）では、図３及び図４に示した保持部材５１の複数の収容部５２の４つに接続部材１０１をそれぞれ保持しているコネクタ３０１を示している。なお、図６（Ａ）では、接続部材１０１のフィルム２１を示していないが、接続部材１０１は図４に断面によって示した構成となっている。
【００４６】
収容部５２は、接続部材１０１の一側である基面１４と対応する一方の壁５２ｄと、接続部材１０１の一側である基面１４と対向する他側である保持面１３と対応する他方の壁５２ｆと、一方及び他方の壁５２ｄ，５２ｆを接続している一対の規制部５２ｊとを有する。
【００４７】
規制部５２ｊは、接続部材１０１の一側である基面１４と対応する一方の壁５２ｄの高さが接続部材１０１の一側である基面１４と対向する他側である保持面１３と対応する他方の壁５２ｆの高さよりも高く形成されることにより、段差をもつ形状となっている。即ち、図６（Ａ）に示したように、保持部材５１を断面で見ると、規制部５２ｊは、保持部材５１の上面５１ａ及び下面５１ｂよりも低く収容部５２内にあって、かつ上面５１ａ及び下面５１ｂに平行な段差が形成されている形状となっている。
【００４８】
接続部材１０１は、接続方向の中間部分が一方の壁５２ｄ及び他方の壁５２ｆのそれぞれに対向するように一方の壁５２ｄ及び他方の壁５２ｆ間に挿入されて保持される。この状態で、接続部材１０１の一方の突出部１５が保持部材の上面５１ａよりも上方に位置しており、接続部材１０１の他方の突出部１５が保持部材１０１の下面５１ｂよりも下方に位置している。
【００４９】
コネクタ３０１は、配線基板としての接続対象物６１と相手配線基板としての相手接続対象物７１との間に設ける。接続対象物６１及び相手接続対象物７１は、互いに平行に位置させる。また、コネクタ３０１は、接続部材１０１の一対の突出部１５が上下となる接続方向に位置させる。
【００５０】
一方側の突出部１５の曲面１５ａ及び側面１５ｂ上の導体３１は、接続対象物６１の接触部６１ａに接触する。もう一方側の突出部１５の曲面１５ａ及び側面１５ｂ上の導体３１は、相手接続対象物７１の相手接触部７１ａに接触する。接続対象物６１及び相手接続対象物７１は、互いに間隔を狭めるように相対的に移動させることによって、図６（Ｂ）に示すように導体３１を介して相互に接続する。
【００５１】
図６（Ｂ）に示したように、接続対象物６１及び相手接続対象物７１を互いに間隔を狭めるように相対的に移動せると、接続部材１０１が接続対象物６１及び相手接続対象物７１によって接続方向で圧縮される。この際、接触部６１ａ及び相手接触部７１ａに導体３１が接触しつつ、一対の突出部１５の一部が圧縮によって所定の方向に変形し規制部５２ｊへ移動する。即ち、保持部材５１の一方及び他方の壁５２ｄ,５２ｆ間に挟まれている弾性体１１の接続方向における中間部分には逃げ部分がないので、収容部５２の規制部５２ｊ上へ一対の突出部１５の一部が圧縮によって移動することになる。
【００５２】
接続部材１０１によって接続対象物６１及び相手接続対象物７１間を接続した後は、規制部５２ｊにおいて突出部１５の変形した部分が所定方向へ移動するため、隣り合う接続部材１０１同士が短絡することがない。
【００５３】
また、接続時には、接触部６１ａ間のピッチや相手接触部７１ａ間のピッチが狭ピッチであっても、規制部５２ｊ上へ一対の突出部１５の一部が圧縮によって移動するので、導体１３がピッチ方向において隣の接触部６１ａや相手接触部７１ａと短絡することを避けることができる。
【００５４】
以上、実施例２においては、コネクタ３０１として接続部材１０１と保持部材５１との組み合わせ構成について説明したが、図１に示した接続部材１と保持部材５１との組み合わせた構成のコネクタ３０１としても、図６（Ｂ）によって説明した接続対象物６１及び相手接続対象物７１間を接続した形態となる。
【実施例３】
【００５５】
図７（Ａ）及び図７（Ｂ）は、図２によって説明した接続部材１０１を採用したコネクタ４０１の実施例３を示している。なお、実施例３におけるコネクタ４０１は、実施例１によって説明したコネクタ２０１とは、収容部５２の形状が変更されているものであるため、収容部５２を除く部分の説明は省略する。
【００５６】
なお、図７（Ａ）では、接続部材１０１のフィルム２１を示していないが、接続部材１０１は図４に断面によって示した構成となっている。
【００５７】
図７（Ａ）を参照して、収容部５２は、接続部材１０１の一側である基面１４と対応する一方の壁５２ｄと、接続部材１０１の一側である基面１４と対向する他側である保持面１３と対応する他方の壁５２ｆと、他方の壁５２ｆから突出している規制部５２ｍと、一方及び他方の壁５２ｄ，５２ｆ間を接続している一対の付加規制部５２ｎとを有する。
【００５８】
規制部５２ｍは、接続部材１０１を保持部材５１に保持させた際に、接続部材１０１の突出部１５の曲面１５ａ及び側面１５ｂ上の導体３１を接続方向と交差する所定の方向に押圧して変形させるために突部形状となっている。即ち、規制部５２ｍは、図７に示したように、保持部材５１を断面で見ると、他方の壁５２ｆから接続方向と交差する一方向へ突出している。
【００５９】
付加規制部５２ｎは、図７（Ａ）に示したように、保持部材５１を断面で見ると、保持部材５１の上面５１ａ及び下面５１ｂよりも低く収容部５２にあってかつ上面５１ａ及び下面５１ｂに平行な面となっている。
【００６０】
図７（Ａ）によって示したように、接続部材１０１の基面１４及フィルム２１上に導体３１を配設した保持面１３が一方の壁５２ｄ及び他方の壁５２ｆのそれぞれに対向するように一方の壁５２ｄ及び他方の壁５２ｆ間に挿入されて保持される。この状態で、規制部５２ｍは、接続部材１０１の保持面１３の中央部分を押圧しているので接続部材１０１の突出部１５が接続方向を交差する方向へ少し曲げられた形態で収容部５２に保持されている。
【００６１】
コネクタ４０１は、接続部材１０１の一方の突出部１５が保持部材の上面５１ａよりも外側に位置しており、接続部材１０１の他方の突出部１５が保持部材１０１1の下面５１ｂよりも外側に位置している。
【００６２】
一方側の突出部１５の曲面１５ａ及び側面１５ｂ上に配設されている導体３１は、接続対象物６１の接触部６１ａに接触する。もう一方側の突出部１５の曲面１５ａ及び側面１５ｂ上に配設されている導体３１は、相手接続対象物７１の相手接触部７１ａに接触する。即ち、接続対象物６１及び相手接続対象物７１は、互いに間隔を狭めるように相対的に移動させることによって、図７（Ｂ）に示すように導体３１を介して相互に接続する。
【００６３】
図７（Ｂ）に示したように、接続対象物６１及び相手接続対象物７１を互いに間隔を狭めるように相対的に移動せると、接続部材１０１が接続対象物６１及び相手接続対象物７１によって圧縮される。この際、接触部６１ａ及び相手接触部７１ａに導体３１が接触しつつ、一対の突出部１５が圧縮されることによって所定の方向である接続方向を交差する方向へ変形し、保持部材５１の付加規制部５２ｎ上へ突出部１５の一部が移動する。
【００６４】
接続部材１０１によって接続対象物６１及び相手接続対象物７１間を接続した後は、付加規制部５２ｎ上に突出部１５の変形した部分が移動するのみであるため、隣り合う接続部材１０１同士が短絡することがない。
【００６５】
また、接続時には、接触部６１ａ間のピッチや相手接触部７１ａ間のピッチが狭ピッチであっても、付加規制部５２ｎ上へ一対の突出部１５の一部が圧縮によって移動するので、導体１３がピッチ方向において隣の接触部６１ａや相手接触部７１ａと短絡することを避けることができる。
【００６６】
以上、実施例３においては、コネクタ４０１として接続部材１０１と保持部材５１との組み合わせ構成について説明したが、コネクタ４０１として図１に示した接続部材１と保持部材５１との組み合わせたコネクタ４０１の構成としても、図７（Ｂ）によって説明した接続対象物６１及び相手接続対象物７１間を接続した形態となる。
【実施例４】
【００６７】
図８は、図２乃至図４に示した接続部材１０１の変形例を示している。なお、図２乃至図４に示した接続部材１０１と同じ部分には同じ符号を付して異なる部分を除く部分の説明を省略する。
【００６８】
図８を参照して、接続部材１０２は、弾性体１１２と、弾性体１１２を補強している補強部材１２と、弾性体１１２に設けられるフィルム２１と、フィルム２１の所定位置に配設されている導体３１とを有する。
【００６９】
弾性体１１２には、保持面１３の長手方向と直交する幅方向の中央にかつ弾性体１１２の長手方向に逃げ溝部１３ａが形成されている。フィルム２１は、弾性体１１２の逃げ溝部１３ａを含む保持面１３、突出基面１５ａ及び側面１５ｂを覆うように弾性体１１２に貼り付けられて固定される。
【００７０】
図９及び図１０は、図８において説明した接続部材１０２の変形例を示している。なお、図８に示した接続部材１０２と同じ部分には同じ符号を付して異なる部分を除く部分の説明を省略する。
【００７１】
図９乃至図１０を参照して、接続部材１０３は、弾性体１１２の突出部１５に複数の溝部１７が形成されている。弾性体１１２には、突出部１５間に溝部１７が形成されている。溝部１７は、導体３１に対向する部分を除く突出部１５に形成されている。溝部１７は、突出部１５間に位置している。
【００７２】
弾性体１１２には、導体３１の長手方向におけるピッチに合わせた溝部１７を形成することによって、これらの溝部１７が弾性体１１２の接続方向で圧縮されて変形したときの弾性体１１２の逃げ部分となり、一定の荷重状態において変形能力を向上させる役目を果たす。
【００７３】
フィルム２１には、弾性体１１２の保持面１３へ保持するときに重ならないように弾性体１１２に溝部１７を形成する。弾性体１１２は突出部１５が溝部１７によって凹凸形状となっていることから高い変形能力が得られる。なお、溝部１７は、溝形状を変えることにより容易に変形能力を変えることができる。
【００７４】
図１１は、図９及び図１０によって説明した接続部材１０３を示している。図１１に示した接続部材１０４では、図９及び図１０によって説明した接続部材１０３の溝部１７に対向しているフィルム２１を切り欠くことによって切り欠き部２３が形成されている。
【００７５】
フィルム２１には、切り欠き部２３を形成することによって、導体部３１間の弾性体１１２の変形量に独立性を持たすことで、図５（Ａ）に示した接続対象物６１または相手接続対象物７１の歪や反り、または導体３１の微小な高さの違いに対して導体３１のレベルでの接続安定性を得ることが可能である。
【００７６】
たとえば、図５（Ａ）に示した接続対象物６１及び相手接続対象物７１の接触部６１ａ及び相手接触部７１ａの芯数が２０芯×４列接続の場合には、１００芯のコネクタを５分割し、図１２に示した保持部材５１へ挿入する手法も可能である。
【００７７】
図１２は、複数の接続部材１０４と、接続部材１０４を複数列に設置する保持部材５１とを備えている実施例４のコネクタ５０１を示している。なお、保持部材５１は、図３に示した保持部材５１と同様な収容部５２の構成を備えているので、同じ図示符合を用いて以下の説明をする。
【００７８】
保持部材５１には、複数の収容部５２が互いに間隔をもって形成されている。保持部材５１には、接続部材１０４を収容部１５２に挿入することによって保持しコネクタ５０１とする。
【００７９】
なお、図１２に示したコネクタ５０１では、収容部５２の一部に接続部材１０４が保持されている状態を示しているが、全部の収容部５２に接続部材１０４を保持することも可能である。
【００８０】
図１３（Ａ）は、コネクタ５０１の一部を断面して示している。保持部材５１の収容部５２は、図４によって説明した保持部材５１の収容部５２と同じ構成のものであるので、同じ部分には同じ符号を付して説明の一部を省略する。また、図１３（Ａ）では、接続部材１０４のフィルム２１を示していないが、接続部材１０４は図１１によって説明した構成となっている。
【００８１】
収容部５２は、接続部材１０４の一側である基面１４と対応する一方の壁５２ｄと、接続部材１０４の一側である基面１４と対向する他側である保持面１３と対応する他方の壁５２ｆと、一方及び他方の壁５２ｄ，５２ｆ間を接続している一対の規制部５２ｈとを有する。
【００８２】
接続部材１０４の基面１４及フィルム２１上に導体３１を配設した保持面１３は、一方の壁５２ｄ及び他方の壁５２ｆのそれぞれに対向するように一方の壁５２ｄ及び他方の壁５２ｆ間に挿入されて保持される。この状態で、接続部材１０４の一方の突出部１５が保持部材５１の上面５１ａよりも上方に位置しており、接続部材１０４の他方の突出部１５が保持部材５１の下面５１ｂよりも下方に位置している。
【００８３】
なお、接続部材１０４は、収容部５２の長手方向の寸法に合わせて、長手方向で所定の寸法に切断することによって収容部５２に保持するようにすることができる。
【００８４】
一方側の突出部１５の曲面１５ａ及び側面１５ｂ上の導体３１は、接続対象物６１の接触部６１ａに接触する。また、もう一方側の突出部１５の曲面１５ａ及び側面１５ｂ上の導体３１は、相手接続対象物７１の相手接触部７１ａに接触する。即ち、接続対象物６１及び相手接続対象物７１は、互いに間隔を狭めるように相対的に移動させることによって、図１５（Ｂ）に示すように導体３１を介して相互に接続する。
【００８５】
図１３（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。圧縮時には、接触部６１ａ及び相手接触部７１ａに導体３１が接触しつつ、一対の突出部１５の一部が圧縮によって所定の方向に変形し、規制部５２ｈへ移動する。即ち、保持部材５１の一方及び他方の壁５２ｄ,５２ｆ間に挟まれている弾性体１１２の接続方向における中間部分には逃げ部分がないので、収容部５２の規制部５２ｈ上へ一対の突出部１５の一部が圧縮によって移動することになる。
【００８６】
また、弾性体１１２には、他方の壁５２ｆとの間に隙間をもって保持されている逃げ溝部１３ａが形成されているので、弾性体１１２が接続方向で圧縮されるときに円滑に圧縮が可能となる。また、規制部５２ｈによる所定方向への変形がさらにしやすくなる。
【００８７】
接続部材１０４によって接続対象物６１及び相手接続対象物７１間を接続した後は、規制部５２ｈにおいて突出部１５の変形した部分が所定方向へ移動するため、隣り合う接続部材１０４同士が短絡することがない。
【００８８】
また、接続時には、接触部６１ａ間のピッチや相手接触部７１ａ間のピッチが狭ピッチであっても、規制部５２ｈ上へ一対の突出部１５の一部が圧縮によって移動するので、導体１３がピッチ方向において隣の接触部６１ａや相手接触部７１ａと短絡することを避けることができる。
【００８９】
実施例４においては、コネクタ５０１として接続部材１０４と保持部材５１との組み合わせ構成について説明したが、図８乃至図１０に示した接続部材１０２もしくは接続部材１０３と、保持部材５１との組み合わせた構成のコネクタ５０１としても、図１３（Ｂ）によって説明した接続対象物６１及び相手接続対象物７１間を接続した形態となる。
【００９０】
なお、図８乃至図１０によって説明した接続部材１０２，１０３のそれぞれは、いずれも実施例４として図１３（Ａ）によって説明したコネクタ５０１の一部品として用いることができる。
【実施例５】
【００９１】
図１４（Ａ）は、コネクタの実施例５を示している。コネクタ５１１は、実施例４として説明した図１３における接続部材１０４のみが異なるため、図１３（Ａ）に示したコネクタ５０１と同じ部分には同じ符号を付して異なる部分を除く部分の説明を省略する。
【００９２】
図１４（Ａ）を参照して、弾性体１１２には、保持面１３の長手方向と直交する幅方向の中央にかつ弾性体１１２の長手方向に２つの逃げ溝部１３ｂ，１３ｃが接続方向において互いに間隔をもって形成されている。フィルム２１は、弾性体１１２の逃げ溝部１３ｂ，１３ｃを含む保持面１３、突出基面１５ａ及び側面１５ｂを覆うように弾性体１１２に保持される。
【００９３】
図１４（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。圧縮時には、接触部６１ａ及び相手接触部７１ａに導体３１が接触しつつ、一対の突出部１５の一部が圧縮によって所定の方向に変形し、規制部５２ｈへ移動する。即ち、保持部材５１の一方及び他方の壁５２ｄ,５２ｆ間に挟まれている弾性体１１２の接続方向における中間部分には逃げ部分がないので、収容部５２の規制部５２ｈ上へ一対の突出部１５の一部が圧縮によって移動することになる。
【００９４】
また、弾性体１１２には、他方の壁５２ｆとの間に隙間をもって保持されている逃げ溝部１３ｂ，１３ｃが形成されているので、弾性体１１２が接続方向で圧縮されるときに円滑な圧縮が可能となる。また、規制部５２ｈによる所定方向への変形がさらにしやすくなる。
【００９５】
接続部材１０４によって接続対象物６１及び相手接続対象物７１間を接続した後は、規制部５２ｈにおいて突出部１５の変形した部分が所定方向へ移動するため、隣り合う接続部材１０４同士が短絡することがない。
【００９６】
また、接続時には、接触部６１ａ間のピッチや相手接触部７１ａ間のピッチが狭ピッチであっても、規制部５２ｈ上へ一対の突出部１５の一部が圧縮によって移動するので、導体１３がピッチ方向において隣の接触部６１ａや相手接触部７１ａと短絡することを避けることができる。
【００９７】
実施例５においては、コネクタ５０１として接続部材１０４と保持部材５１との組み合わせ構成について説明したが、図８乃至図１０に示した接続部材１０２もしくは接続部材１０３と、保持部材５１との組み合わせた構成のコネクタ５０１としても、図１４（Ｂ）によって説明した接続対象物６１及び相手接続対象物７１間を接続した形態となる。
【００９８】
なお、図８乃至図１０によって説明した接続部材１０２，１０３のそれぞれは、いずれも実施例５として図１４（Ａ）によって説明したコネクタ５１１の一部品として用いることができる。
【実施例６】
【００９９】
図１５（Ａ）は、コネクタの実施例６を示している。コネクタ５２１は、実施例４として説明した図１３（Ａ）における接続部材１０４のみが異なるため、図１３（Ａ）に示したコネクタ５０１と同じ部分には同じ符号を付して異なる部分を除く部分の説明を省略する。
【０１００】
図１５（Ａ）を参照して、弾性体１１２には、保持面１３の長手方向と直交する幅方向の中央にかつ弾性体１１２の長手方向に３つの逃げ溝部１３ｅ，１３ｆ,１３ｇが互いに間隔をもって形成されている。フィルム２１は、弾性体１１２の逃げ溝部１３ｅ，１３ｆ,１３ｇを含む保持面１３、突出基面１５ａ及び側面１５ｂを覆うように弾性体１１２に固定される。
【０１０１】
図１５（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。圧縮時には、接触部６１ａ及び相手接触部７１ａに導体３１が接触しつつ、一対の突出部１５の一部が圧縮によって所定の方向に変形しつつ規制部５２ｈへ移動する。即ち、保持部材５１の一方及び他方の壁５２ｄ,５２ｆ間に挟まれている弾性体１１２の接続方向における中間部分には逃げ部分がないので、収容部５２の規制部５２ｈ上へ一対の突出部１５の一部が圧縮によって移動することになる。
【０１０２】
また、弾性体１１２には、他方の壁５２ｆとの間に隙間をもって保持されている逃げ溝部１３ｅ，１３ｆ,１３ｇが形成されているので、弾性体１１２が接続方向で圧縮されるときに円滑な圧縮が可能となる。また、規制部５２ｈによる所定方向への変形が更にしやすくなる。
【０１０３】
接続部材１０４によって接続対象物６１及び相手接続対象物７１間を接続した後は、規制部５２ｈにおいて突出部１５の変形した部分が所定方向へ移動するため、隣り合う接続部材１０４同士が短絡することがない。
【０１０４】
また、接続時には、接触部６１ａ間のピッチや相手接触部７１ａ間のピッチが狭ピッチであっても、規制部５２ｈ上へ一対の突出部１５の一部が圧縮によって移動するので、導体１３がピッチ方向において隣の接触部６１ａや相手接触部７１ａと短絡することを避けることができる。
【０１０５】
実施例６においては、コネクタ５２１として接続部材１０４と保持部材５１との組み合わせ構成について説明したが、図８乃至図１０に示した接続部材１０２もしくは接続部材１０３と、保持部材５１との組み合わせた構成のコネクタ５０１としても、図１４（Ｂ）によって説明した接続対象物６１及び相手接続対象物７１間を接続した形態となる。
【０１０６】
なお、図８乃至図１０によって説明した接続部材１０２，１０３のそれぞれは、いずれも実施例６として図１５（Ａ）によって説明したコネクタ５２１の一部品として用いることができる。
【実施例７】
【０１０７】
図１６（Ａ）は、コネクタの実施例７を示している。コネクタ６０１は、図６において実施例２として説明した接続部材１１のみが異なっている構成であるため、図６（Ａ）に示したコネクタ３０１と同じ部分には同じ符号を付して異なる部分を除く部分の説明を省略する。
【０１０８】
また、図１６（Ａ）は、コネクタ６０１の一部を断面して示している。保持部材５１の収容部５２は、図４によって説明した保持部材５１の収容部５２と同じ構成のものであるので、同じ部分には同じ符号を付して説明の一部を省略する。さらに、図１６（Ａ）では、接続部材１０４のフィルム２１を示していないが、接続部材１０４は図１１に示した構成となっている。
【０１０９】
図１６（Ａ）を参照して、弾性体１１２には、保持面１３の長手方向と直交する幅方向の中央にかつ弾性体１１２の長手方向に１つの逃げ溝部１３ａが形成されている。フィルム２１は、弾性体１１２の逃げ溝部１３ａを含む保持面１３、突出基面１５ａ及び側面１５ｂを覆うように弾性体１１２に保持される。
【０１１０】
図１６（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。圧縮時には、接触部６１ａ及び相手接触部７１ａに導体３１が接触しつつ、一対の突出部１５の一部が圧縮によって所定の方向に変形し、規制部５２ｊへ移動する。
【０１１１】
即ち、保持部材５１の一方及び他方の壁５２ｄ,５２ｆ間に挟まれている弾性体１１２の接続方向における中間部分には逃げ部分がないので、収容部５２の規制部５２ｊ上へ一対の突出部１５の一部が圧縮によって移動することになる。
【０１１２】
また、弾性体１１２には、他方の壁５２ｆとの間に隙間をもって保持されている逃げ溝部１３ａが形成されているので、弾性体１１２が接続方向で圧縮されるときに円滑に圧縮が可能となる。また、規制部５２ｊによる所定方向への変形が更にしやすくなる。
【０１１３】
接続部材１０４によって接続対象物６１及び相手接続対象物７１間を接続した後は、規制部５２ｊにおいて突出部１５の変形した部分が所定方向へ移動するため、隣り合う接続部材１０４同士が短絡することがない。
【０１１４】
また、接続時には、接触部６１ａ間のピッチや相手接触部７１ａ間のピッチが狭ピッチであっても、規制部５２ｊ上へ一対の突出部１５の一部が圧縮によって移動するので、導体１３がピッチ方向において隣の接触部６１ａや相手接触部７１ａと短絡することを避けることができる。
【０１１５】
実施例７においては、コネクタ６０１として接続部材１０４と保持部材５１との組み合わせ構成について説明したが、図８に示した接続部材１０２もしくは図９及び図１０に示した接続部材１０３と、保持部材５１との組み合わせた構成のコネクタ６０１としても、図１６（Ｂ）によって説明した接続対象物６１及び相手接続対象物７１間を接続した形態となる。
【０１１６】
なお、図８乃至図１０によって説明した接続部材１０２，１０３のそれぞれは、いずれも実施例７として図１６（Ａ）によって説明したコネクタ６０１の一部品として用いることができる。
【実施例８】
【０１１７】
図１７（Ａ）は、コネクタの実施例８を示している。コネクタ６１１は、図１６（Ａ）において実施例７として説明した接続部材１０４の一部みが変更されている構成であるため、図１６（Ａ）に示したコネクタ３０１と同じ部分には同じ符号を付して異なる部分を除く部分の説明を省略する。
【０１１８】
図１７（Ａ）を参照して、弾性体１１２には、保持面１３の長手方向と直交する幅方向の中央にかつ弾性体１１２の長手方向に２つの逃げ溝部１３ｂ，１３ｃが形成されている。フィルム２１は、弾性体１１２の逃げ溝部１３ｂ，１３ｃを含む保持面１３、突出基面１５ａ及び側面１５ｂを覆うように弾性体１１２に保持される。
【０１１９】
図１７（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。圧縮時には、接触部６１ａ及び相手接触部７１ａに導体３１が接触しつつ、一対の突出部１５の一部が圧縮によって所定の方向に変形しつつ規制部５２ｊへ移動する。
【０１２０】
即ち、保持部材５１の一方及び他方の壁５２ｄ,５２ｆ間に挟まれている弾性体１１２の接続方向における中間部分には逃げ部分がないので、収容部５２の規制部５２ｊ上へ一対の突出部１５の一部が圧縮によって移動することになる。
【０１２１】
また、弾性体１１２には、他方の壁５２ｆとの間に隙間をもって保持されている逃げ溝部１３ｂ，１３ｃが形成されているので、弾性体１１２が接続方向で圧縮されるときに円滑に圧縮が可能となる。また、規制部５２ｊによる所定方向への変形が更にしやすくなる。
【０１２２】
接続部材１０４によって接続対象物６１及び相手接続対象物７１間を接続した後は、規制部５２ｊにおいて突出部１５の変形した部分が所定方向へ移動するため、隣り合う接続部材１０４同士が短絡することがない。
【０１２３】
また、接続時には、接触部６１ａ間のピッチや相手接触部７１ａ間のピッチが狭ピッチであっても、規制部５２ｊ上へ一対の突出部１５の一部が圧縮によって移動するので、導体１３がピッチ方向において隣の接触部６１ａや相手接触部７１ａと短絡することを避けることができる。
【０１２４】
実施例８においては、コネクタ６１１として接続部材１０４と保持部材５１との組み合わせ構成について説明したが、図８に示した接続部材１０２もしくは図９及び図１０に示した接続部材１０３と、保持部材５１との組み合わせた構成のコネクタ６０１としても、図１７（Ｂ）によって説明した接続対象物６１及び相手接続対象物７１間を接続した形態となる。
【０１２５】
なお、図８乃至図１０によって説明した接続部材１０２，１０３のそれぞれは、いずれも実施例８として図１７（Ａ）によって説明したコネクタ６０１の一部品として用いることができる。
【実施例９】
【０１２６】
図１８（Ａ）は、コネクタの実施例９を示している。コネクタ６２１は、図６において実施例７として説明した接続部材１１２のみが変更されている構成であるため、図１６（Ａ）に示したコネクタ６０１と同じ部分には同じ符号を付して異なる部分を除く部分の説明を省略する。
【０１２７】
図１８（Ａ）を参照して、弾性体１１２には、保持面１３の長手方向と直交する幅方向の中央にかつ弾性体１１２の長手方向に３つの逃げ溝部１３ｅ，１３ｆ，１３ｇが形成されている。フィルム２１は、弾性体１１２の逃げ溝部１３ｅ，１３ｆ，１３ｇを含む保持面１３、突出基面１５ａ及び側面１５ｂを覆うように弾性体１１２に保持される。
【０１２８】
図１７（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。圧縮時には、接触部６１ａ及び相手接触部７１ａに導体３１が接触しつつ、一対の突出部１５の一部が圧縮によって所定の方向に変形し、規制部５２ｊへ移動する。
【０１２９】
即ち、保持部材５１の一方及び他方の壁５２ｄ,５２ｆ間に挟まれている弾性体１１２の接続方向における中間部分には逃げ部分がないので、収容部５２の規制部５２ｊ上へ一対の突出部１５の一部が圧縮によって移動することになる。
【０１３０】
また、弾性体１１２には、他方の壁５２ｆとの間に隙間をもって保持されている逃げ溝部１３ｅ，１３ｆ，１３ｇが形成されているので、弾性体１１２が接続方向で圧縮されるときに円滑に圧縮が可能となる。また、規制部５２ｊによる所定方向への変形が更にしやすくなる。
【０１３１】
接続部材１０４によって接続対象物６１及び相手接続対象物７１間を接続した後は、規制部５２ｊにおいて突出部１５の変形した部分が所定方向へ移動するため、隣り合う接続部材１０４同士が短絡することがない。
【０１３２】
また、接続時には、接触部６１ａ間のピッチや相手接触部７１ａ間のピッチが狭ピッチであっても、規制部５２ｊ上へ一対の突出部１５の一部が圧縮によって移動するので、導体１３がピッチ方向において隣の接触部６１ａや相手接触部７１ａと短絡することを避けることができる。
【０１３３】
実施例８においては、コネクタ６２１として接続部材１０４と保持部材５１との組み合わせ構成について説明したが、図８に示した接続部材１０２もしくは図９及び図１０に示した接続部材１０３と、保持部材５１との組み合わせた構成のコネクタ６０１としても、図１８（Ｂ）によって説明した接続対象物６１及び相手接続対象物７１間を接続した形態となる。
【０１３４】
なお、図８乃至図１０によって説明した接続部材１０２，１０３のそれぞれは、いずれも実施例９として図１８（Ａ）によって説明したコネクタ６０１の一部品として用いることができる。
【実施例１０】
【０１３５】
図１９（Ａ）は、実施例１０におけるコネクタ７０１を示している。コネクタ７０１は、図１１に示した接続部材１０４と、接続部材１０４を保持する板状の保持部材５１とを有する。保持部材５１は、複数の接続部材１０１を個々に収容するように保持部材５１の上面５１ａ及び上面５１ａに対向している下面５１ｂ間を貫通している複数の収容部５２を有する。
【０１３６】
収容部５２は、接続部材１０４の一側である基面１４と対応する一方の壁５２ｄと、接続部材１０４の一側である基面１４と対向する他側である保持面１３（図１１を参照）と対応する他方の壁５２ｆと、一方及び他方の壁部５２ｄ、５２ｆ間を接続している規制部５２ｐ，５２ｒを有する。
【０１３７】
一方の壁部５２ｄと他方の壁部５２ｆは、互いに平行な壁となっている。一方の規制部５２ｐは、保持部材５１の上面５１ａよりも低い面であり、上面５１ａと平行な面となっている。他方の規制部５２ｒは、保持部材５１の下面５１ｂよりも低い面であり、下面５１ｂと平行な面となっている。
【０１３８】
接続部材１０１の基面１４及フィルム２１上に導体３１を配設した保持面１３は、一方の壁５２ｄ及び他方の壁５２ｆのそれぞれに対向するように一方の壁５２ｄ及び他方の壁５２ｆ間に挿入されて保持される。この状態で、接続部材１０４の一方の突出部１５が保持部材の上面５１ａよりも上方に位置しており、接続部材１０１の他方の突出部１５が保持部材５１の下面５１ｂよりも下方に位置している。なお、図１９（Ａ）では、接続部材１０４のフィルム２１を示していないが、接続部材１０１は図１１に示した構成となっている。
【０１３９】
コネクタ７０１は、配線基板としての接続対象物６１と相手配線基板としての相手接続対象物７１との間に設ける。接続対象物６１及び相手接続対象物７１は、互いに平行に位置させる。また、コネクタ７０１は、接続部材１０４の一対の突出部１５が上下となる接続方向に位置させる。
【０１４０】
一方側の突出部１５の曲面１５ａ及び側面１５ｂ上の導体３１は、接続対象物６１の接触部６１ａに接触する。また、もう一方側の突出部１５の曲面１５ａ及び側面１５ｂ上の導体３１は、相手接続対象物７１の相手接触部７１ａに接触する。即ち、接続対象物６１及び相手接続対象物７１は、互いに間隔を狭めるように相対的に移動させることによって、図１９（Ｂ）に示すように導体３１を介して相互に接続する。
【０１４１】
図１９（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。この際、接触部６１ａ及び相手接触部７１ａに導体３１が接触しつつ、一対の突出部１５の一部が圧縮によって所定の方向に変形しながら規制部５２ｐ，５２ｒへ移動する。即ち、収容部５２の規制部５２ｐ，５２ｒ上は、一対の突出部１５の一部が圧縮によって移動する逃げ部分となる。
【０１４２】
接続部材１０４によって接続対象物６１及び相手接続対象物７１間を接続した後は、規制部５２ｐ，５２ｒにおいて突出部１５の変形した部分が所定方向へ移動するため、隣り合う接続部材１０４同士が短絡することがない。
【０１４３】
また、接続時には、接触部６１ａ間のピッチや相手接触部７１ａ間のピッチが狭ピッチであっても、規制部５２ｐ，５２ｒ上へ一対の突出部１５の一部が圧縮によって移動するので、導体１３がピッチ方向において隣の接触部６１ａや相手接触部７１ａと短絡することを避けることができる。
【０１４４】
実施例１０においては、コネクタ７０１として接続部材１０４と保持部材５１との組み合わせ構成について説明したが、図８に示した接続部材１０２もしくは図９及び図１０に示した接続部材１０３と、保持部材５１との組み合わせた構成のコネクタ７０１としても、図１９（Ｂ）によって説明した接続対象物６１及び相手接続対象物７１間を接続した形態となる。
【０１４５】
なお、図８乃至図１０によって説明した接続部材１０２，１０３のそれぞれは、いずれも実施例１０として図１９（Ａ）によって説明したコネクタ７０１の一部品として用いることができる。
【実施例１１】
【０１４６】
図２０（Ａ）は、実施例１１のコネクタ７１１を示している。コネクタ７１１は、図１９（Ａ）において実施例１０として説明した接続部材１０４のみが異なるため、図１９（Ａ）に示したコネクタ７０１と同じ部分には同じ符号を付して異なる部分を除く部分の説明を省略する。
【０１４７】
図２０（Ａ）を参照して、弾性体１１２には、保持面１３の長手方向を直交する幅方向の中央にかつ弾性体１１２の長手方向に２つの逃げ溝部１３ｂ，１３ｃが形成されている。フィルム２１は、弾性体１１２の逃げ溝部１３ａを含む保持面１３、突出基面１５ａ及び側面１５ｂを覆うように弾性体１１２に保持される。
【０１４８】
図２０（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。この際、弾性体１１２は、接触部６１ａ及び相手接触部７１ａに導体３１が接触しつつ、一対の突出部１５の一部が圧縮によって所定の方向に変形し，規制部５２ｐ，５２ｒへ移動する。即ち、収容部５２の規制部５２ｐ，５２ｒ上は、一対の突出部１５の一部が圧縮によって移動する逃げ部分となる。
【０１４９】
接続部材１０４によって接続対象物６１及び相手接続対象物７１間を接続した後は、隣り合う接続部材１０４同士が規制部５２ｐ,５２ｒにおいて接続部材１０４の突出部１５が変形した部分が所定方向へ移動するため、隣り合う接続部材１０４同士が短絡することがない。
【０１５０】
また、接続時には、接触部６１ａ間のピッチや相手接触部７１ａ間のピッチが狭ピッチであっても、規制部５２ｐ，５２ｒ上へ一対の突出部１５の一部が圧縮によって移動するので、導体１３がピッチ方向において隣の接触部６１ａや相手接触部７１ａと短絡することを避けることができる。
【０１５１】
実施例１１においては、コネクタ７１１として接続部材１０４と保持部材５１との組み合わせ構成について説明したが、図８に示した接続部材１０２もしくは図９及び図１０に示した接続部材１０３と、保持部材５１との組み合わせた構成のコネクタ７１１としても、図２０（Ｂ）によって説明した接続対象物６１及び相手接続対象物７１間を接続した形態となる。
【０１５２】
なお、図８乃至図１０によって説明した接続部材１０２，１０３のそれぞれは、いずれも実施例１１として図２０（Ａ）によって説明したコネクタ７１１の一部品として用いることができる。
【実施例１２】
【０１５３】
図２１（Ａ）は、実施例１１のコネクタ７２１を示している。コネクタ７２１は、図１９（Ａ）において実施例１０として説明した接続部材１０４のみが異なるため、図１９（Ａ）に示したコネクタ７０１と同じ部分には同じ符号を付して異なる部分を除く部分の説明を省略する。
【０１５４】
図２１（Ａ）を参照して、弾性体１１２には、保持面１３の長手方向を直交する幅方向の中央にかつ弾性体１１２の長手方向に３つの逃げ溝部１３ｅ,１３ｆ，１３ｇが形成されている。フィルム２１は、弾性体１１２の逃げ溝部１３ｅ,１３ｆ，１３ｇを含む保持面１３、突出基面１５ａ及び側面１５ｂを覆うように弾性体１１２に保持される。
【０１５５】
図２１（Ｂ）に示したように、接続対象物６１及び相手接続対象物７１を互いに間隔を狭めるように相対的に移動せると、接続部材１０４が接続対象物６１及び相手接続対象物７１によって接続方向で圧縮される。この際、接触部６１ａ及び相手接触部７１ａに導体３１が接触しつつ、一対の突出部１５の一部が圧縮によって所定の方向に変形しながら規制部５２ｐ，５２ｒへ移動する。即ち、収容部５２の規制部５２ｐ，５２ｒ上は、一対の突出部１５の一部が圧縮によって移動する逃げ部分となる。
【０１５６】
接続部材１０４によって接続対象物６１及び相手接続対象物７１間を接続した後は、隣り合う接続部材１０４同士が規制部５２ｐ,５２ｒにおいて突出部１５が変形した部分が主尾低方向へ移動するため、隣り合う接続部材１０４同士が短絡することがない。
【０１５７】
また、接続時には、接触部６１ａ間のピッチや相手接触部７１ａ間のピッチが狭ピッチであっても、規制部５２ｐ，５２ｒ上へ一対の突出部１５の一部が圧縮によって移動するので、導体１３がピッチ方向において隣の接触部６１ａや相手接触部７１ａと短絡することを避けることができる。
【０１５８】
実施例１２においては、コネクタ７２１として接続部材１０４と保持部材５１との組み合わせ構成について説明したが、図８に示した接続部材１０２もしくは図９及び図１０に示した接続部材１０３と、保持部材５１との組み合わせた構成のコネクタ７２１としても、図２１（Ｂ）によって説明した接続対象物６１及び相手接続対象物７１間を接続した形態となる。
【０１５９】
なお、図８乃至図１０によって説明した接続部材１０２，１０３のそれぞれは、いずれも実施例１２として図２１（Ａ）によって説明したコネクタ７２１の一部品として用いることができる。
【０１６０】
また、実施例１乃至１１において、弾性体１１，１１２は、基面１４及び保持面１３間の厚みや、突出部１３の厚みを適宜変更することによって、弾性体１１，１１２の圧縮時に突出部１５の規制部５２ｈ，５２ｊ，５２ｎ，５２ｐ，５２ｒへの移動を安定した状態で作用させるように対応させることができる。
【０１６１】
また、各実施例における接続部材１，１０１,１０２，１０３，１０４は、接続対象物６１及び相手接続対象物７１の配置及び接触部６１ａ及び相手接触部材７１ａの芯数に合わせて保持部材５１に形成した収容部５２へ接続部材１，１０２，１０３，１０４を挿入して保持することでコネクタ構造体を形成することができるため、汎用性が高く量産性に優れたコネクタとなる。
【０１６２】
さらに、図７（Ａ）によって説明した実施例３におけるコネクタ４０１においても、接続部材１０２，１０３，１０４のいずれかを採用してコネクタとすることができる。
【産業上の利用可能性】
【０１６３】
本発明のコネクタは、ＩＣチップあるいは可撓性印刷配線基板などと、配線基板、サブキャリアなどとを接続するために用いる電気接続用のコネクタ、ＬＧＡ（ランド・グリッド・アレイ）もしくはＢＧＡ（ボール・グリッド・アレイ）チップ用のコネクタとしての用途にも適用できる。
【図面の簡単な説明】
【０１６４】
【図１】本発明に係るコネクタに用いる接続部材を示す斜視図である。
【図２】本発明に係るコネクタに用いる接続部材として図１に示した接続部材とは異なる接続部材を分解した状態で示した斜視図である。
【図３】図２に示した接続部材を備えているコネクタの実施例１を示す斜視図である。
【図４】図３に示したコネクタのIV-IV線断面図である。
【図５】（Ａ）は図３に示したコネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図６】（Ａ）はコネクタの実施例２を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図７】（Ａ）はコネクタの実施例３を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図８】本発明に係るコネクタに用いる接続部材として図１及び図２に示した接続部材とは異なる接続部材を分解した状態で示した斜視図である。
【図９】図８に示した接続部材の変形例を示した斜視図である。
【図１０】図９に示した接続部材のX-X線断面図である。
【図１１】図９に示した接続部材の変形例を示す斜視図である。
【図１２】図１１に示した接続部材を備えたコネクタの斜視図である。
【図１３】（Ａ）はコネクタの実施例４を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図１４】（Ａ）はコネクタの実施例５を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図１５】（Ａ）はコネクタの実施例６を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図１６】（Ａ）はコネクタの実施例７を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図１７】（Ａ）はコネクタの実施例８を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図１８】（Ａ）はコネクタの実施例９を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図１９】（Ａ）はコネクタの実施例１０を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図２０】（Ａ）はコネクタの実施例１１を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【図２１】（Ａ）はコネクタの実施例１２を示しており、コネクタによって接続対象物及び相手接続対象物を接続する前の状態を説明するための断面図、（Ｂ）は（Ａ）に示したコネクタによって接続対象物及び相手接続対象物を接続した後の状態を説明するための断面図である。
【符号の説明】
【０１６５】
１，１０１,１０３，１０４,    接続部材
１１，１１２，    弾性体
１２    補強部材
１３    保持面
１３ａ，１３ｂ，１３ｃ,１３ｅ,１３ｆ,１３ｇ    逃げ溝部
１４    基面
１５    突出部
１４ａ    突出基面
１５ａ    曲面
１５ｂ    側面
１７    溝部
２１    フィルム
３１    導体
５１    保持部材
５１ａ    上面
５１ｂ    下面
５２    収容部
５２ｄ    一方の壁
５２ｆ    他方の壁
５２ｈ，５２ｊ,５２ｍ，５２ｐ，５２ｒ    規制部
５２ｎ    付加規制部
６１    接続対象物
６１ａ    接触部
７１    相手接続対象物
７１ａ    相手接触部
２０１,３０１，４０１，５０１，５１１，５２１，６０１，６１１，６２１    ７０１，７１１，７２１    コネクタ
【図１】
2008059810.tif 000003
【図２】
2008059810.tif 000004
【図３】
2008059810.tif 000005
【図４】
2008059810.tif 000006
【図５】
2008059810.tif 000007
【図６】
2008059810.tif 000008
【図７】
2008059810.tif 000009
【図８】
2008059810.tif 000010
【図９】
2008059810.tif 000011
【図１０】
2008059810.tif 000012
【図１１】
2008059810.tif 000013
【図１２】
2008059810.tif 000014
【図１３】
2008059810.tif 000015
【図１４】
2008059810.tif 000016
【図１５】
2008059810.tif 000017
【図１６】
2008059810.tif 000018
【図１７】
2008059810.tif 000019
【図１８】
2008059810.tif 000020
【図１９】
2008059810.tif 000021
【図２０】
2008059810.tif 000022
【図２１】
2008059810.tif 000023